(57)【要約】      （修正有）【課題】フラット導線と回路板とを接続可能な自動ロック構造付き高周波コネクタを提供する。【解決手段】コネクタは、筐体１２と、ゴム芯１４と、蓋体１６と、ロック固定組立部材１８と、端子２０とを備える。筐体は、第１弾性部材と、第２弾性部材と、筐体接地とを備えることで、フラット導線の接地層が、回路板の接地線に接続する。また、蓋体、ゴム芯とロック固定組立部材により、コネクタは、フラット導線を自動ラッチロックするとともに、フラット導線をコネクタから離脱させる。フラット導線を自動ラッチロックする時、端子は、フラット導線の導電層と電気的に接続する。【選択図】図１
0003231202.tif 000002
【実用新案登録請求の範囲】
【請求項１】
フラット導線と回路板とを接続するための自動ロック構造付き高周波コネクタであって、
前記フラット導線は、少なくとも第１接地層と、第２接地層と、前記第１接地層と前記第２接地層との間に設置される導電層と、前記導電層、前記第１接地層及び前記第２接地層を包覆する絶縁層とを備え、かつ前記フラット導線の前縁に先頭端が形成され、前記先頭端の両側に切り欠きがそれぞれ形成され、前記先頭端から前記第１接地層と前記第２接地層とが露出しており、
前記自動ロック構造付き高周波コネクタは、筐体と、ゴム芯と、蓋体と、ロック固定組立部材と、端子とを備え、
前記筐体には、第１収容空間と、第１弾性部材と、第２弾性部材と、差込口と、筐体接地とが形成され、前記第１収容空間は、前記差込口に連通し、前記第１弾性部材と前記第２弾性部材とは、前記筐体の両側面にそれぞれ形成され、前記第１弾性部材は、前記第１接地層と接触するために供され、前記第２弾性部材は、前記第２接地層と接触するために供され、前記筐体接地は、前記回路板の接地線と接続するために供され、
前記第１収容空間に設置される前記ゴム芯には、前記差込口に連通して前記先頭端を収容するために供される第２収容空間と、第１係止部材と、溝体と、前記第２弾性部材に対応して設置される第１切り欠きと、前記第１係止部材に近隣する第２切り欠きとが形成され、
前記蓋体は、前記溝体に対応して設置される軸突起部と、開口と、前記第１係止部材に対応して設置される第２係止部材とを有し、
前記蓋体に設置される前記ロック固定組立部材は、固定部と、弾性アームと、ロック固定突起部とを有し、前記開口に対応して設置される前記弾性アームは、前記固定部と前記ロック固定突起部との間に設置され、前記ロック固定突起部は、前記先頭端の前記切り欠きに対応して設置され、前記固定部は、前記蓋体に設置され、
前記第２収容空間に設置される前記端子は、前記導電層と電気的に接続するために供され、
前記軸突起部は、前記溝体と結合されることにより、前記蓋体と前記ゴム芯とにより角度θを挟むようにさせ、前記角度θが０度に近づくとき、前記第１係止部材と前記第２係止部材とを相互に係合させ、前記フラット導線が前記差込口を通して前記第２収容空間に進入した後、前記第１弾性部材は、前記第１接地層と接触するために供され、前記第２弾性部材は、前記第２接地層と接触するために供されることで、前記第１接地層を、前記第１弾性部材と前記筐体接地を介して前記回路板の前記接地線に接続させ、前記第２接地層を、前記第２弾性部材と前記筐体接地を介して前記回路板の前記接地線に接続させることを特徴とする、自動ロック構造付き高周波コネクタ。
【請求項２】
前記フラット導線が前記差込口を通して前記第２収容空間に進入した後、前記先頭端は前記ロック固定組立部材にさらに作用することで、前記ロック固定突起部が前記切り欠きに係止されるまで前記弾性アームに変形を生じさせ、また、前記弾性アームを位置復帰させた後、前記ロック固定突起部は、前記フラット導線を前記第２収容空間にロックするために供されることを特徴とする、請求項１に記載の自動ロック構造付き高周波コネクタ。
【請求項３】
前記蓋体と前記ゴム芯とにより挟まれる前記角度θが所定角度より大きいとき、前記第１係止部材と前記第２係止部材との係止を解除することで、前記フラット導線を、前記差込口を通して退避させることを特徴とする、請求項１に記載の自動ロック構造付き高周波コネクタ。
【請求項４】
前記溝体と前記軸突起部の少なくとも一方で干渉構造が形成され、前記干渉構造により前記角度θの回動範囲を決定することを特徴とする、請求項１に記載の自動ロック構造付き高周波コネクタ。
【請求項５】
前記第１弾性部材の自由端と前記第２弾性部材の自由端とは、前記筐体から前記第２収容空間に向けて延在し、前記ゴム芯は、第１制止構造をさらに含み、前記筐体は、第２制止構造をさらに含み、前記第１制止構造が前記第２制止構造と結合されることにより、前記ゴム芯は、前記筐体の前記第１収容空間に固定されるようにさせることを特徴とする、請求項１に記載の自動ロック構造付き高周波コネクタ。
【考案の詳細な説明】
【技術分野】
【０００１】
本考案は、コネクタの技術分野に関し、特に、高周波信号伝達に適用される自動ロック構造付き高周波コネクタに関するものである。
【背景技術】
【０００２】
伝統的な電線対基板コネクタは、導線と回路板とを電気的に接続する接続エレメントとして構成され、そのメリットは、実体的な半田付け接続方式を用いて回路板上に半田付け封止する必要がなく、使用者は、簡易に抜き差しすることで、電気的な接続効果を実現することができる。
【０００３】
コネクタと導線とを安定して接触させるために、これまでに多種の接続方式が開発され、例えば、コネクタと導線とを簡易に接続して脱落しないようにすることができる自動ラッチロック方式が挙げられる。前述の動作のように導線をコネクタに差し込む過程において、自動的にラッチロックすることができ、コネクタと導線との接続を保持することが可能となる。しかしながら、自動ラッチロックを有する伝統的なコネクタは、自動ラッチロック構造が複雑になり、全体の厚さがより厚くなるため、薄型化を求める応用分野には適合しない。
【考案の概要】
【考案が解決しようとする課題】
【０００４】
さらに、伝統的なコネクタは、例えば、電磁波などの信号の干渉を受けることによって、高速伝達を有効に行うことができないという不具合が存在する。これに鑑み、本考案は、伝統的なコネクタにより生じる不具合を解決するために、自動ロック構造付き高周波コネクタを提案する。
【０００５】
本考案の第１の目的は、高周波信号伝達の応用分野に適用され、かつ自動的にフラット導線をコネクタにラッチロックすることができ、外部から外力を加える方式でコネクタからフラット導線を解放することができる自動ロック構造付き高周波コネクタを提供することにある。
【０００６】
本考案の第２の目的は、前述の自動ロック構造付き高周波コネクタにおいて、第１弾性部材と、第２弾性部材と、筐体接地とを有する筐体を提供することで、フラット導線の接地層を、第１弾性部材、第２弾性部材及び筐体接地を介して回路板の接地線に接続させることを達成するものを提供することにある。
【０００７】
本考案の第３の目的は、前述の自動ロック構造付き高周波コネクタにおいて、筐体と、ゴム芯と、蓋体と、ロック固定組立部材とを提供し、蓋体にロック固定組立部材を設置することにより、フラット導線を収容空間にラッチロックするものを提供することにある。
【０００８】
本考案の第４の目的は、前述の自動ロック構造付き高周波コネクタにおいて、蓋体の軸突起部が筐体の凹溝に作用する角度を調整することにより、フラット導線のラッチロックとロック解除を決定する目的を達成するものを提供することにある。
【０００９】
本考案の第５の目的は、前述の自動ロック構造付き高周波コネクタにおいて、蓋体をゴム芯に固定するための第１係止部材と第２係止部材とを提供することにある。
【００１０】
本考案の第６の目的は、前述の自動ロック構造付き高周波コネクタにおいて、筐体とゴム芯に、それぞれ制止構造を提供することで、ゴム芯を筐体の第１収容空間に固定することを達成するものを提供することにある。
【００１１】
本考案の第７の目的は、前述の自動ロック構造付き高周波コネクタにおいて、溝体と軸突起部とで干渉構造が形成され、干渉構造により角度の回動範囲を決定することで、蓋体を特定角度の範囲内に反転させるように制限することができるので、蓋体の反転でフラット導線を挟み押し込まないようにすることができるものを提供することにある。
【課題を解決するための手段】
【００１２】
上記の目的と他の目的を達成するために、本考案は、自動ロック構造付き高周波コネクタを提供する。自動ロック構造付き高周波コネクタは、フラット導線と回路板とを接続することができる。フラット導線は、少なくとも導電層と、第１接地層と、第２接地層と、絶縁層とを備える。導電層は、第１接地層と第２接地層との間に設置され、また、絶縁層で導電層、第１接地層及び第２接地層を包覆し、かつフラット導線の前縁に先頭端が形成され、先頭端の両側に切り欠きがそれぞれ形成される。先頭端から第１接地層と第２接地層とが露出している。自動ロック構造付き高周波コネクタは、筐体と、ゴム芯と、蓋体と、ロック固定組立部材と、端子とを備える。筐体には、第１収容空間と、第１弾性部材と、第２弾性部材と、差込口と、筐体接地とが形成される。第１収容空間は、差込口に連通する。第１弾性部材と第２弾性部材とは、前記筐体の両側面にそれぞれ形成される。第１弾性部材は、第１接地層と接触することができ、第２弾性部材は、第２接地層と接触することができる。筐体接地は、回路板の接地線と接続可能とされる。ゴム芯は、第１収容空間に設置される。ゴム芯には、第２収容空間と、第１係止部材と、溝体と、第１切り欠きと、第２切り欠きとが形成される。第２収容空間は、差込口に連通して先頭端を収容するために供される。第１切り欠きは、第２弾性部材に対応して設置され、第２切り欠きは、第１係止部材に近隣する。蓋体は、軸突起部と、開口と、第２係止部材とを有する。軸突起部は、溝体に対応して設置され、第２係止部材は、第１係止部材に対応して設置される。ロック固定組立部材は、蓋体に設置される。ロック固定組立部材は、固定部と、弾性アームと、ロック固定突起部とを有する。弾性アームは、固定部とロック固定突起部との間に設置され、弾性アームは、開口に対応して設置される。ロック固定突起部は、先頭端の切り欠きに対応して設置され、固定部は、蓋体に設置される。端子は、第２収容空間に設置されることで、導電層と電気的に接続可能とされる。その内、蓋体の軸突起部は、ゴム芯の溝体と結合されることにより、蓋体とゴム芯とにより角度θを挟むようにさせる。角度θが０度に近づくとき、第１係止部材と第２係止部材とを相互に係合させ、フラット導線が差込口を通して第２収容空間に進入した後、第１弾性部材は、第１接地層と接触することができ、第２弾性部材は、第２接地層と接触することができることで、第１接地層を、第１弾性部材と筐体接地を介して回路板の接地線に接続させ、及び第２接地層を、第２弾性部材と筐体接地を介して回路板の接地線に接続させる。
【考案の効果】
【００１３】
従来の技術に比べて、本考案は、薄型化のコネクタとすることが可能な自動ロック構造付き高周波コネクタを提供し、かつ特に筐体を提供することで、フラット導線の接地層を、回路板の接地線に接続することができ、従ってコネクタは、高周波信号伝達の応用分野に適用されることが可能である。
【図面の簡単な説明】
【００１４】
【図１】本考案の第１実施形態の自動ロック構造付き高周波コネクタの構造模式図である。
【図２】（ａ）は本考案の図１の筐体を説明する上面図であり、（ｂ）は本考案の図１の筐体を説明する下面図である。
【図３】本考案の図１のゴム芯を説明する上面図である。
【図４】本考案の図１の蓋体を説明する上面図である。
【図５】本考案の図１のロック固定組立部材を説明する側面図である。
【図６】本考案の図１のコネクタを説明する構造模式図である。
【図７】本考案のコネクタとフラット導線との接続を示す上面図である。
【図８】（ａ）は本考案の図７のコネクタとフラット導線との接続を示すＡ−Ａ断面図であり、（ｂ）は本考案の図７のコネクタとフラット導線との接続を示すＢ−Ｂ断面図であり、（ｃ）は本考案の図７のコネクタとフラット導線との接続を示すＣ−Ｃ断面図である。
【考案を実施するための形態】
【００１５】
本考案の目的、特徴及び効果を十分に理解してもらうため、ここで、添付の図面を参照して、下記の具体的な実施形態により、後述のように本考案を詳細に説明する。
【００１６】
本考案において、「１つ」または「１個」は、本文に記載されたユニット、エレメント及びコンポーネントを記述するために使用されるものである。これは単に説明の便宜上のためのものであり、なおかつ本考案の範疇に対して一般的な意義を与えるためのものである。従って、別段の意味が明記されていない限り、このような記述は、１個、少なくとも１個を含み、かつ単数形は、複数形をも含むものと理解するべきである。
【００１７】
本考案において、「備える」、「含む」、「有する」、「含有する」という用語、または他のいかなる類似の用語は、非排他的な包含関係をカバーするように意図される。例を挙げて言えば、複数の要件を含有するエレメント、構造、製品または装置は、本文に列挙されたそれらの要件だけに限定されることは必須でなく、明示的には列挙されていないまたは本来備わっているはずの他の要件が、そのようなエレメント、構造、製品または装置に含まれてもよい。このほか、反対の明確な説明がない限り、「または」という用語は、排他的な「または」ではなく、包括的な「または」を意味することが意図されている。
【００１８】
本考案の第１実施形態の自動ロック構造付き高周波コネクタの構造模式図である図１を参照する。図１において、自動ロック構造付き高周波コネクタ１０は、図７に示すフラット導線２と回路板４とを接続することができる。その内、図７において、フラット導線２は、少なくとも導電層２２と、第１接地層２４と、第２接地層２６と、絶縁層２８とを備え、このほか、注意に値することは、短絡回避や構造強化のために、導電層２２と第１接地層２４との間に別の絶縁層とフラットケーブル補強板とを有し、導電層２２と第２接地層２６との間に別の絶縁層を有する。説明の都合上、ここでは主にフラット導線２の導電層２２、第１接地層２４、第２接地層２６と絶縁層２８について、簡略化して後で説明を行う。導電層２２は、第１接地層２４と第２接地層２６との間に設置され、また、絶縁層２８でさらに導電層２２、第１接地層２４及び第２接地層２６を包覆する。ここで述べるフラット導線２は、伝統的なフラット導線のように前縁に先頭端（即ち、図３中で、フラット導線２の絶縁層２８を包含していない部分）が形成され、先頭端の両側に切り欠き（不図示）がそれぞれ形成される。ここでは、先頭端から第１接地層２４と第２接地層２６とが露出している。
【００１９】
図１に戻って参照すると、自動ロック構造付き高周波コネクタ１０は、筐体１２と、ゴム芯１４と、蓋体１６と、ロック固定組立部材１８と、端子２０とを備える。
【００２０】
図２（ａ）と図２（ｂ）を併せて参照する。図２（ａ）は、本考案の図１の筐体を説明する上面図であり、図２（ｂ）は、本考案の図１の筐体を説明する下面図である。図２（ａ）と図２（ｂ）において、筐体１２には、第１収容空間ＦＳＰと、第１弾性部材１２２と、第２弾性部材１２４と、差込口１２６と、筐体接地１２８とが形成される。本実施形態において、筐体１２の材質としては、金属を例にして説明する。
【００２１】
第１収容空間ＦＳＰは、差込口１２６に連通する。
【００２２】
第１弾性部材１２２と第２弾性部材１２４とは、筐体１２の両側面にそれぞれ形成され、図２（ａ）には、第１弾性部材１２２が示されており、図２（ｂ）には、第２弾性部材１２４が示されている。第１弾性部材１２２は、第１接地層２４と接触することができ、第２弾性部材１２４は、第２接地層２６と接触することができる。
【００２３】
ここでは、第１弾性部材１２２の自由端と第２弾性部材１２４の自由端とは、筐体１２から後述する第２収容空間ＳＳＰのスペースに向けて延在する。
【００２４】
筐体接地１２８は、回路板４の接地線と接続可能とされる。
【００２５】
本考案の図１のゴム芯を説明する上面図である図３を併せて参照する。図３において、ゴム芯１４は、第１収容空間ＦＳＰに設置される。ゴム芯１４には、第２収容空間ＳＳＰと、第１係止部材１４２と、溝体１４４と、第１切り欠き１４６と、第２切り欠き１４８とが形成される。
【００２６】
第２収容空間ＳＳＰは、図１に図示の差込口１２６に連通して先頭端を収容するために供される。
【００２７】
第１切り欠き１４６は、第２弾性部材１２４に対応して設置され、第２切り欠き１４８は、第１係止部材１４２に近隣する。
【００２８】
本考案の図１の蓋体を説明する上面図である図４を併せて参照する。図４において、蓋体１６は、軸突起部１６２と、第２係止部材１６４と、開口１６６とを有する。軸突起部１６２は、図３に図示の溝体１４４に対応して設置され、第２係止部材１６４は、図３に図示の第１係止部材１４２に対応して設置される。
【００２９】
別の実施形態において、軸突起部１６２は、複数の斜面または円滑面を含んでもよい。軸突起部１６２を図３に図示の溝体１４４に差し込んだ後、軸突起部１６２は、図３に図示の溝体１４４内を旋回することができる。さらに別の実施形態において、図３に図示の溝体１４４と軸突起部１６２とで干渉構造が形成されてもよく、干渉構造により後に言及する角度θの回動範囲を決定することができる。例を挙げて言えば、干渉構造は、斜面から形成されてもよい。
【００３０】
別の実施形態では、図３に図示の第１係止部材１４２と図４に図示の第２係止部材１６４との互いに接触する部分においては、第１係止部材１４２に、第２係止部材１６４に、またはこれらの両者に面取り角を形成してもよく、位置決めまたは取り付けを円滑に行うなどの目的を達成する。
【００３１】
本考案の図１のロック固定組立部材を説明する側面図である図５を併せて参照する。図５において、ロック固定組立部材１８は、蓋体１６に設置される。ロック固定組立部材１８は、固定部１８２と、弾性アーム１８４と、ロック固定突起部１８６とを有する。
【００３２】
弾性アーム１８４は、固定部１８２とロック固定突起部１８６との間に形成され、弾性アーム１８４は、図４に図示の開口１６６に対応して設置される。ロック固定突起部１８６は、先頭端の切り欠きに対応して設置され、固定部１８２は、蓋体１６に設置され、ここで、固定部１８２を蓋体１６に嵌め込むことができる。
【００３３】
蓋体１６の開口１６６により、ロック固定組立部材１８により生じる変形量を除去することができ、従って蓋体１６に変形が生じるおそれをなくすことができる。
【００３４】
本実施形態において、ロック固定突起部１８６の辺縁の形状は、弧状曲線であってもよく、フラット導線２の先頭端が、コネクタ１０に差し込まれるとき、ロック固定突起部１８６によって簡易に押し開かれて第２収容空間ＳＳＰに進入することができ、かつ切り欠きも、弧状曲線を持つロック固定突起部１８６による規制を受けて第２収容空間ＳＳＰにて位置制限される。
【００３５】
図１に戻って参照すると、端子２０は、第２収容空間ＳＳＰに設置され、図７に図示の導電層２２と電気的に接続可能とされる。
【００３６】
コネクタ１０の組合わせ操作について、図４に図示の蓋体１６の軸突起部１６２は、図３に図示の溝体１４４と結合された後、蓋体１６と筐体１２とにより角度θを挟むようにさせ、例として角度θの範囲は、例えば、０度〜９０度の間にあってもよい。角度θが０度に近づくとき、ゴム芯１４の第１係止部材１４２と蓋体１６の第２係止部材１６４とを相互に係合させることは、図６に示すとおりである。
【００３７】
本考案の図１のコネクタを説明する構造模式図である図６を参照する。図６において、第１係止部材１４２と第２係止部材１６４とを係合させた後、蓋体１６は、ゴム芯１４にて安定的に制限される。また、蓋体１６とゴム芯１４とにより挟まれる角度θが所定角度より大きいとき、第１係止部材１４２と第２係止部材１６４との係止を解除することで、フラット導線２を、差込口１２６を通して退避させることができ、例として所定角度の範囲は、例えば、３度〜９０度の間にあってもよい。
【００３８】
このほか、フラット導線２が差込口１２６を通して第２収容空間ＳＳＰに進入した後、第１弾性部材１２２は、第１接地層２４と接触することができ、第２弾性部材１２４は、第２接地層２６と接触することができることで、第１接地層２４を、第１弾性部材１２２と筐体接地１２８を介して回路板４の接地線に接続させ、及び第２接地層２６を、第２弾性部材１２４と筐体接地１２８を介して回路板４の接地線に接続させる。
【００３９】
別の実施形態において、ゴム芯１４は、第１制止構造１４１０（図３を参照）をさらに含み、筐体１２は、第２制止構造１２１０（図２（ａ）を参照）をさらに含み、第１制止構造１４１０が第２制止構造１２１０と結合されることにより、ゴム芯１４は、筐体１２の第１収容空間ＦＳＰに固定されるようにさせる。本実施形態において、第１制止構造１４１０は凹溝であり、及び第２制止構造１２１０は弾性部材である。弾性部材が凹溝に係止されることにより、ゴム芯１４は、筐体１２の第１収容空間ＦＳＰに固定されることが好ましい。
【００４０】
本考案のコネクタとフラット導線との接続を示す上面図である図７を併せて参照する。図７において、断面線Ａ−Ａ、Ｂ−ＢとＣ−Ｃが示されており、これらについては、それぞれ図８（ａ）、図８（ｂ）と図８（ｃ）を参照することができる。
【００４１】
図８（ａ）は、本考案の図７のコネクタとフラット導線との接続を示すＡ−Ａ断面図である。図８（ａ）において、筐体１２の筐体接地１２８を回路板４の接地線に電気的に接続することで、金属材質の筐体１２全体を接地させ、また、フラット導線２がゴム芯１４に差し込まれた後、フラット導線２の第１接地層２４は、第１弾性部材１２２と接触し、フラット導線２の第２接地層２６は、第２弾性部材１２４と接触することで、フラット導線２の第１接地層２４と第２接地層２６を、筐体１２の筐体接地１２８を介して回路板４の接地線に接続させる。
【００４２】
図８（ｂ）は、本考案の図７のコネクタとフラット導線との接続を示すＢ−Ｂ断面図である。図８（ｂ）において、フラット導線２がゴム芯１４に差し込まれた後、第１弾性部材１２２は、フラット導線２の第１接地層２４と接触し、第１弾性部材１２２の弾性力を用いてフラット導線２を下向きに第２収容空間ＳＳＰに突き当てることができるほか、第１弾性部材１２２をフラット導線２の第１接地層２４に安定して接続することもできる。
【００４３】
図８（ｃ）は、本考案の図７のコネクタとフラット導線との接続を示すＣ−Ｃ断面図である。図８（ｃ）において、フラット導線２がゴム芯１４に差し込まれた後、第２弾性部材１２４は、フラット導線２の第２接地層２６と接触し、第２弾性部材１２４の弾性力を用いてフラット導線２を上向きに第２収容空間ＳＳＰに突き当てることができるほか、第２弾性部材１２４をフラット導線２の第２接地層２６に安定して接続することもできる。
【符号の説明】
【００４４】
２…フラット導線
４…回路板
２２…導電層
２４…第１接地層
２６…第２接地層
２８…絶縁層
１０…自動ロック構造付き高周波コネクタ
１２…筐体
１２２…第１弾性部材
１２４…第２弾性部材
１２６…差込口
１２８…筐体接地
１２１０…第２制止構造
１４…ゴム芯
１４２…第１係止部材
１４４…溝体
１４６…第１切り欠き
１４８…第２切り欠き
１４１０…第１制止構造
１６…蓋体
１６２…軸突起部
１６４…第２係止部材
１６６…開口
１８…ロック固定組立部材
１８２…固定部
１８４…弾性アーム
１８６…ロック固定突起部
２０…端子
ＦＳＰ…第１収容空間
ＳＳＰ…第２収容空間
θ…角度
【図１】
0003231202.tif 000003
【図２】
0003231202.tif 000004
【図３】
0003231202.tif 000005
【図４】
0003231202.tif 000006
【図５】
0003231202.tif 000007
【図６】
0003231202.tif 000008
【図７】
0003231202.tif 000009
【図８】
0003231202.tif 000010